(57)【要約】【課題】  ハンドセットを載置するクレードルを電話機本体の左右いずれにも配置可能とするために、クレードルと電話機本体をレバーで支持してクレードルの回転移動を円滑にすると共に、電話機本体とクレードルの構造デザイン上の自由度を向上する。【解決手段】  電話機本体３とクレードル４とをレバー１、レバー２で連結する。レバー１及びレバー２はそれぞれ、２個の中空のレバー１Ａ、１Ｂ、及び２Ａ、２Ｂとから構成され、一方のレバー１Ａ（または２Ａ）の内寸は他方のレバー１Ｂ（または２Ｂ）の外寸より僅かに大きく、外側のレバー１Ａ（または２Ａ）の内部に内側のレバー１Ｂ（または２Ｂ）を差し込み、摺動させることが可能な、伸縮性構造を持つ。また、レバー１、レバー２それぞれと、電話機本体３、クレードル４との接合部を回転軸として回転する。【選択図】  図１
0003160213.tif 000002
【実用新案登録請求の範囲】
【請求項１】
ハンドセットを載置するクレードルと、前記クレードルに対応する電話機本体と、前記クレードルと前記電話機本体を連結する連結レバーと、から成るクレードル分離型電話機におけるクレードルの移動構造であって、
前記連結レバーは、連結された前記クレードルと電話機本体の距離を可変とする伸縮機構と、前記電話機本体に回転自在に取付けられる本体取付機構と、前記クレードルに回転自在に取付けられるクレードル取付機構と、を有することを特徴とする伸縮レバーによる電話機のクレードル移動構造。
【考案の詳細な説明】
【技術分野】
【０００１】
本考案は、送受話器（以降、ハンドセットと呼ぶ）の載置台（以降、クレードルと呼ぶ）を電話機本体から分離したクレードル分離型電話機であって、クレードルと電話機本体をレバーで連結し、本体とレバーとの接合点と、クレードルとレバーとの接合点をそれぞれ回転の軸として、クレードルを電話機本体の左右いずれの側にも配置可能とする電話機の構造に関するものである。
【背景技術】
【０００２】
右利き、左利きのいずれの使用者にも電話機操作がしやすいように、クレードルを電話機本体の左右いずれにも配置可能とし、さらに、クレードルの移動を容易にするために、電話機本体底部中央とクレードル底部中央とを１本のレバーで連結し、本体とレバーとの接合点、及びクレードルとレバーとの接合点を回転軸として、クレードルの回転移動により左右自在配置を可能とする構造がある（例えば、特許文献１参照）。
【先行技術文献】
【特許文献】
【０００３】
【特許文献１】特開２００６−１８６７２９号公報
【考案の概要】
【考案が解決しようとする課題】
【０００４】
しかしながら、特許文献１の構造では、レバーが固定長であるため、電話機本体とレバー、クレードル部とレバーとの接合部を回転軸としてクレードルを回転移動させる上で、電話機本体の各突起部をクレードルの回転半径内に収める必要があるために、電話機本体およびクレードルのデザインおよび構造がかなり制約されるという欠点があった。
そこで、本考案が解決しようとする課題は、従来の欠点を解決するために、クレードルを回転移動する際にレバーを伸ばして、クレードルの回転移動を円滑にすると共に、電話機本体とクレードルの構造デザイン上の自由度を向上することにある。
【課題を解決するための手段】
【０００５】
上記の課題を解決するために、本考案は、ハンドセットを載置するクレードルと、前記クレードルに対応する電話機本体と、前記クレードルと前記電話機本体を連結する連結レバーと、から成るクレードル分離型電話機におけるクレードルの移動構造であって、前記連結レバーは、連結された前記クレードルと電話機本体の距離を可変とする伸縮機構と、前記電話機本体に回転自在に取付けられる本体取付機構と、前記クレードルに回転自在に取付けられるクレードル取付機構と、を有することを特徴とする。
【考案の効果】
【０００６】
本考案によれば、通常使用時にはクレードルと電話機本体間は接触配置しているが、電話機本体に対してクレードルの位置を左右反転する場合には、レバーを伸ばしてクレードルと電話機本体間の隙間を確保し、左右反転の回転移動が円滑であると共に、移動後はレバーの長さを縮めて本体と接触配置した状態に戻すことが可能となる効果がある。
しかも、回転移動に際し、電話機本体及びクレードルの構造デザイン上の制約条件が少なく、伸縮する幅の範囲内で形状を自由に設計できると共に、電話機本体を机上等に据え置いたまま、電話機本体の上部を横切ってクレードルを回転移動させることができる。
【図面の簡単な説明】
【０００７】
【図１】本考案に係る電話装置の分解図
【図２】伸縮式レバーの構造を説明するための図。摺動する内外1組のレバーのうち、外側のレバーの構造を示す。同図（Ａ）は平面図、同図（Ｂ）は正面図、同図（Ｃ）は左側面図、同図（Ｄ）は右側面図である。
【図３】図２（Ａ）のＡ−Ａ線に沿った断面図
【図４】外側のレバーの斜視図
【図５】伸縮式レバーの構造を説明するための図。摺動する内外1組のレバーのうち、内側のレバーの構造を示す。同図（Ａ）は平面図、同図（Ｂ）は正面図、同図（Ｃ）は左側面図、同図（Ｄ）は右側面図である。
【図６】図５（Ｂ）のＢ−Ｂ線に沿った断面図
【図７】内側のレバーの斜視図
【図８】クレードルを電話機本体左側に接触配置した図。クレードルの位置変更前の状態を示す。同図（Ａ）は平面図、同図Ｂは正面図である。
【図９】クレードルの移動を説明するための図。レバーの長さを伸ばし、クレードルを電話機本体から引き離した状態を示す。
【図１０】クレードルの移動を説明するための図。レバーと電話機本体の接合部を回転軸としてクレードルが回転移動する途中を示す。
【図１１】クレードルの移動を説明するための図。クレードルが電話機本体右側へ１８０°回転移動した状態を示す。
【図１２】レバーの長さを縮め、クレードルを電話機本体右側に接触配置させた図。クレードル位置変更後の状態を示す。同図（Ａ）は平面図、同図Ｂは正面図である。
【考案を実施するための形態】
【０００８】
図１は本考案の実施形態に係る電話機の分解図であって、１および２は、電話機本体３とクレードル４を連結する連結レバー（以降、単にレバーと呼ぶ）、５はクレードル４に載置されるハンドセット、６および７はレバー１および２を電話機本体３に回転自在に取り付けられる本体側取付部、８および９はレバー１および２をクレードル４に回転自在に取り付けられるクレードル側取付部である。
レバー１、レバー２は、それぞれ、２個の中空のレバー１Ａ、１Ｂ、及び２Ａ、２Ｂとから構成され、外側のレバー１Ａ（または２Ａ）の内寸は内側のレバー１Ｂ（または２Ｂ）の外寸より僅かに大きい。
【０００９】
図２に外側のレバー１Ａ（または２Ａ）の細部構造例を示す。図３は図２（Ａ）のＡ−Ａ線に沿った断面図、図４はレバー１Ａ（または２Ａ）の斜視図である。レバー１Ａ（または２Ａ）には、一方の端面７３から等しい距離に２つの対向する溝７１、７２が切られている。レバー１Ａ（または２Ａ）の端面７３は、レバー１Ｂ（または２Ｂ）の横断面の形状と同じ形でかつレバー１Ｂ（または２Ｂ）の外寸より僅かに大きい穴７４が開いており、レバー１Ｂ（または２Ｂ）が貫通して摺動可能である。
【００１０】
図５に内側のレバー１Ｂ（または２Ｂ）の細部構造例を示す。図６は図５（Ｂ）のＢ−Ｂ線に沿った断面図、図７はレバー１Ｂ（または２Ｂ）の斜視図である。レバー１Ｂ（まはた２Ｂ）は弾性を持つ材質で作られ、その一端には切り込みのある翼状の突起部９５、９６を持つ。内側のレバー１Ｂ（または２Ｂ）を伸ばしても外側のレバー１Ａ（または２Ａ）から抜けてしまわぬよう、突起部９５、９６のある端面から一定の距離に隔壁構造のストッパー９７がある。
【００１１】
図８（Ａ）及び（Ｂ）はハンドセット５を載置したクレードル４を電話機本体３の左に接触配置した状態を示す。レバー１Ａ（または２Ａ）とレバー１Ｂ（または２Ｂ）とが、レバー１Ａ（または２Ａ）の端面７３を貫通して連結した状態においては、レバー１Ｂ（または２Ｂ）の突起部９５、９６とレバー１Ａ（または２Ａ）の溝７１、７２とが嵌合する状態が、電話機本体３とクレードル４とが接触配置した状態となるように、溝７１、７２の位置を決めることができる。レバーの長さはこの状態が最短の状態である。
レバー１Ｂ、２Ｂと電話機本体３との本体側取付部である接合部６、７はレバーの回転軸となる。また、レバー１Ａ、２Ａとクレードル４とのクレードル側取付部である接合部８、９はクレードル４の回転軸となる。
【００１２】
図８の状態からクレードル４、ハンドセット５を電話機本体３の右側に移動させて使用する場合、クレードル４及びハンドセット５を電話機本体３から引き離す。即ち、レバー１Ｂ（または２Ｂ）の突起部９５、９６とレバー１Ａ（または２Ａ）の溝７１、７２とが嵌合する位置から、レバー１Ａ（または２Ａ）を、レバー１Ｂ（または２Ｂ）に対して外側へ引き出す。すると、翼状の突起部９５、９６の傾斜面が溝７１、７２の境界で押しつけられて、たわみながら摺動を開始する。さらに引くと、突起部９５、９６の先端がレバー１Ａ（または２Ａ）の内壁に接触した状態で摺動し、レバー１Ｂ（または２Ｂ）のストッパー９７がレバー１Ａ（または２Ａ）の端面７３に当たるまで、レバーを伸張することが可能である。このレバーが伸び切った状態を図９に示す。
【００１３】
続いて、レバーと電話機本体３との接合部６及び７を回転軸として、クレードル４、ハンドセット５を回転移動させる。レバーは接合部６、及び７の回りに３６０度回転可能であるが、電話機本体３を机上等の設置場所に固定したまま、クレードル４及びハンドセット５を、電話機本体３の上部を通過させる方が操作が簡単である。クレードル４はレバーとの接合部８、９を回転軸として、その回りに回転自在であるので、クレードル４及びハンドセット５を常に上に向けながら、電話機本体とレバーとの接合部６、７を回転軸としてレバーを回転させる。クレードル４及びハンドセット５は図１０の状態を経て、１８０°回転し、電話機本体３の右側に移動する。この状態を図１１に示す。
【００１４】
引き続いて、クレードル４を電話機本体３に向けて水平方向に押し付けると、レバー１Ｂ（または２Ｂ）の突起部９５及び９６の先端がレバー１Ａ（まはた２Ａ）の内壁と点接触した状態を保ちながら摺動し、突起部９５及び９６がレバー１Ａ（まはた２Ａ）の溝７１及び７２の位置に達すると、たわんでいた突起部が弾性により元の形に戻る。レバー１Ａ（または２Ａ）の溝７１、７２とレバー１Ｂ（または２Ｂ）の突起部９５、９６が嵌合するので、それ以上縮めることは不可となる。この状態を図１２（Ａ）及び（Ｂ）に示す。
レバーの長さは再び最短の状態になり、クレードル４及びハンドセット５を電話機本体３の右側に接触配置させて使用することが可能となる。
【００１５】
前記の操作を逆順に実施することにより、電話機本体右側に接触配置したクレードルを左側に移動することが可能である。したがって、電話機本体に対するクレードルの左右配置の変更を、自在に行うことが可能である。
【符号の説明】
【００１６】
１、２・・・電話機本体とクレードルとを連結するレバー
１Ａ、１Ｂ・・・レバー１を構成する外側、内側１組の連結部材
２Ａ、２Ｂ・・・レバー２を構成する外側、内側１組の連結部材
３・・・電話機本体
４・・・クレードル
５・・・ハンドセット
６、７・・・レバー１、２の本体側取付部
８、９・・・レバー１、２のクレードル側取付部
７１、７２・・・レバー１Ｂ、レバー２Ｂの突起部と嵌合する溝
７３・・・レバー１Ａ、２Ａの端面
７４・・・レバー１Ｂ、２Ｂが貫通する穴
９５、９６・・・レバー１Ｂ、２Ｂの翼状突起部
９７・・・ストッパー
【図１】
0003160213.tif 000003
【図２】
0003160213.tif 000004
【図３】
0003160213.tif 000005
【図４】
0003160213.tif 000006
【図５】
0003160213.tif 000007
【図６】
0003160213.tif 000008
【図７】
0003160213.tif 000009
【図８】
0003160213.tif 000010
【図９】
0003160213.tif 000011
【図１０】
0003160213.tif 000012
【図１１】
0003160213.tif 000013
【図１２】
0003160213.tif 000014